(57)【特許請求の範囲】
【請求項１】
手の周囲を略１周半程度廻る長さで手の甲および手の掌を覆う幅を有する帯状体（２）と、
前記帯状体（２）の一方の端部に形成され、装着する側の手の親指を引っ掛けるための親指引っ掛け部（４）と、
前記帯状体（２）の他方の端部に形成され、装着する側の手と反対側の手の指で保持される二股に分離した指引っ掛け部（５）（５'）と、
前記二股に分離した指引っ掛け部（５）（５'）の長さを、手首側の指引っ掛け部（５'）の長さを手の甲側の指引っ掛け部（５）の長さよりも短くし、
前記帯状体（２）の表面側の二股に分離した指引っ掛け部（５）（５'）に再帰反射シート（１５）を取り付け、
前記帯状体（２）の表面側に前記親指引っ掛け部（４）に近接して固着された第１の面ファスナー（６）と、
前記帯状体（２）の裏面側に前記二股に分離した指引っ掛け部（５）（５'）の周辺に設けられた第２の面ファスナー（７）（７'）と、
前記帯状体の表面側に二股に分離した指引っ掛け部（５）（５'）に隣接して設けられた親指差し込み部（９）と、
前記帯状体（２）の表面側の前記第１面ファスナー（６）の下に金属等の塑性変形可能で一定の硬さと強度を有する材料で形成された背屈保持プレート（１７）を挿入可能な背屈保持プレート用ポケット（１６）と、を備え、
前記親指差し込み部（９）とその周辺部、及び前記帯状体（２）の裏面側の背屈保持プレート用ポケット（１６）に対応する部分にソフトパットを配置しことを特徴とする手を保護するための帯状保護具。
【発明の詳細な説明】
【技術分野】
【０００１】
本発明は、車椅子用、自転車、釣り、ゴルフ等のスポーツ用、或いは作業用等に好適に使用され、簡単に脱着することができる手を保護するための帯状保護具に関する。
【背景技術】
【０００２】
例えば、不幸にして身体に障害を受け車椅子の生活を強いられた人達が、全ての生活に利用する車椅子を操作するときに車輪のリムを回すために手袋が必要であるが、市販されている手袋は高価であったり、装着が困難であったりして手袋が使用されているケースが少ない。このため、手荒れが酷くなったりして非常に不便を感じていた。
【０００３】
この問題を解決するための車椅子用手袋として、従来、特許文献１に示すように、手平面被覆部と手甲面被覆部とを有し、一方の側面部に親指差し込み部を設けた車椅子用手袋において、手甲面被覆部は、幅方向中間で左右の各甲面部に分離して該各甲面部が左右に開閉できるようにし、一方の甲面部に長さ調節可能な締付バンドを介して他方の甲面部に重合し得る重合片を連結し、前記他方の甲面部と前記重合片とを面ファスナーで接着させ得るようにしたものが提案されている。
【特許文献１】特開２００３−８２５１０号公報
【発明の開示】
【発明が解決しようとする課題】
【０００４】
しかしながら、上記特許文献１の車椅子用手袋においては、指が普通に使える人には比較的容易に装着できるが、障害で指が不自由な人は、手袋の端を歯でくわえて装着しなければならないという問題を有している。また、一方の甲面部に長さ調節可能な締付バンドを介して他方の甲面部に重合し得る重合片を連結しているために構造が複雑でコスト高になるとともに、締付バンドの操作も歯をくわえて引っ張らねばならず、手袋を締め付けることが簡単にできないという問題を有している。また、手が損傷して前屈した手首となった障害者は、このような車椅子用手袋では、車椅子の操作が困難となる問題を有している。
【０００５】
本発明は、上記従来の問題を解決するものであって、構造が単純で低コストで製造できるとともに、指が不自由な人であってもなくても、帯状体を親指に引っ掛けて回すだけで簡単かつ容易に脱着することができ、手首が前屈状態の障害者も使用できる手を保護するための帯状保護具を提供することを目的とする。
【課題を解決するための手段】
【０００６】
そのために、本発明の手を保護するための帯状保護具は、手の周囲を略１周半程度廻る長さで手の甲および手の掌を覆う幅を有する帯状体２と、前記帯状体２の一方の端部に形成され、装着する側の手の親指を引っ掛けるための親指引っ掛け部４と、前記帯状体２の他方の端部に形成され、装着する側の手と反対側の手の指で保持される二股に分離した指引っ掛け部５、５'と、前記二股に分離した指引っ掛け部５、５'の長さを、手首側の指引っ掛け部５'の長さを手の甲側の指引っ掛け部５の長さよりも短くし、前記帯状体２の表面側の前記二股に分離した指引っ掛け部５、５'に再帰反射シート１５を取り付け、前記帯状体２の表面側に前記親指引っ掛け部４に近接して固着された第１の面ファスナー６と、前記帯状体２の裏面側に前記二股に分離した指引っ掛け部５、５'の周辺に設けられた第２の面ファスナー７、７'と、前記帯状体の表面側に前記二股に分離した指引っ掛け部５、５'に隣接して設けられた親指差し込み部９と、前記帯状体２の表面側の前記第１面ファスナー６の下に金属等の塑性変形可能で一定の硬さと強度を有する材料で形成された背屈保持プレート１７を挿入可能な背屈保持プレート用ポケット１６と、を備え、前記親指差し込み部９とその周辺部、及び前記帯状体２の裏面側の背屈保持プレート用ポケット１６に対応する部分にソフトパットを配置したことを特徴とする。
【発明の効果】
【００１０】
本発明の手の周囲を略１周半程度廻る長さで手の甲および手の掌を覆う幅を有する帯状体と、該帯状体の一方の端部に形成され、装着する側の手の親指を引っ掛けるための親指引っ掛け部と、帯状体の他方の端部に形成され、装着する側の手と反対側の手の指で保持される二股に分離した指引っ掛け部と、帯状体の表面側に前記親指引っ掛け部に近接して固着された第１の面ファスナーと、帯状体の裏面側に前記二股に分離した指引っ掛け部の周辺に設けられた第２の面ファスナーと、帯状体の表面側に二股に分離した指引っ掛け部に隣接して設けられた親指差し込み部と、帯状体の表面側の第１面ファスナー形成部分の下に金属等の塑性変形可能で一定の硬さと強度を有する材料で形成された背屈保持プレートを挿入可能な背屈保持プレート用ポケットを備える構成により、構造が単純で低コストで製造できるとともに、指が不自由な人であってもなくても、帯状体を親指に引っ掛けてぐるっと回すだけで簡単かつ容易に脱着することができ、かつ、手が損傷して前屈した状態の手首となった障害者にも、その人の前屈の症状に応じた角度形状が変形可能な背屈保持プレートの挿入により、車椅子の操作を容易にすることができる。
帯状体の表面側の二股に分離した指引っ掛け部に再帰反射シートを取り付ける構成により、障害者が帯状保護具を装着して夜間等の周囲が暗い状況で車椅子を操作する際、再帰反射シートに車等の照明が反射して運転者の注意を喚起でき、交通事故を防止できる。
親指差し込み部と、前記帯状体の裏面側の背屈保持プレート用ポケットに対応する部分にソフトパットを配置する構成により、保護具を装着して車椅子等を操作する際、手に加わる振動を緩衝すると共に、手首の関節等に硬い部分が当たっても痛くないようにすることができる。
二股に分離した指引っ掛け部の長さを、手首側の指引っ掛け部の長さを手の甲側の指引っ掛け部の長さよりも短くする構成により、手の甲の周囲の長さと手首の周囲の長さの相違に対応し、装着後の第２の面ファスナーを固着したそれぞれの指引っ掛け部の余りをなくし、フィット感を向上することができる。
【発明を実施するための最良の形態】
【００１１】
本発明の実施の形態を図により説明する。図１および図２は、本発明の手を保護するための帯状保護具の１実施形態を示し、図１は帯状保護具の表面（おもて面）図、図２は裏面図である。
【００１２】
図１及び図２は、右手用の帯状保護具１を示し、点線は縫い込みを示している。なお、左手用は親指差し込み部の方向が斜め下方になる。帯状保護具１は、手の周囲を略１周半程度廻る長さで、手の甲および手の掌を覆う幅を有する帯状体２からなり、帯状体２は、伸縮性の、布地、本皮または合成皮革製の材料からなり、帯状体２の周囲には縁取り材３が縫製されている。
【００１３】
なお、帯状体２の幅を手首部をも覆う幅にしてもよい。車椅子用の場合には、掌中央部、手首部で操作し一番摩耗する部分であるので、これらの部位に二重当て（１８）を付けて二重構造とし、耐久性を向上するとよい。また、帯状体２の裏面側には、汗をかいてもサラットとドライになる吸汗速乾素材を裏打ちすることにより使用感を向上することができる。また、フィット感を向上させるために、帯状体２の裏面に平織りのゴム紐を縫いつけたステッチを設けてもよい。
【００１４】
帯状体２の一方の端部には、装着する側の手の親指を引っ掛けるための親指引っ掛け部４が形成され、帯状体２の他方の端部には、装着する側の手と反対側の手の指を引っ掛けるための二股に分離した指引っ掛け部（５）（５’）が形成されている。親指引っ掛け部４は穴で形成され、二股に分離した指引っ掛け部５は穴で形成されている。このように、他方の端部が二股に分離した指引っ掛け部（５）（５’）となっているので、一方の端部の親指引っ掛け部４と区別でき、帯状体２の装着方法を容易に使用者に教えることができる。なお、二股に分離した指引っ掛け部（５）（５’）の穴をスリットにしてもよい。
【００１５】
また、帯状体２の表面側には、親指引っ掛け部４に近接して一対の第１の面ファスナー６が固着されるとともに、帯状体２の裏面側には、二股に分離した指引っ掛け部（５）（５’）に第２の面ファスナー（７）（７’）が固着されている。二股に分離した指引っ掛け部（５）（５’）の長さを、手首側の指引っ掛け部（５’）の長さを、手の甲側の指引っ掛け部（５）の長さよりも短くする。これは、手の甲の周囲の長さと手首の周囲の長さが相違するため、帯状保護具１を手に装着した際、それぞれの指引っ掛け部（５）（５’）の余りをなくし、フィット感を向上するためである。また、二股に分離した指引っ掛け部５の表面側の一方又は両方に再帰反射シート１５を接着又は縫製により設置する。再帰反射シート１５は帯状保護具１を手に装着した際、手の甲側に位置し、夜間に車椅子を操作する時に、車の照明等が反射し、運転者に車椅子操作者の存在を確認させ、交通事故を防止することができる。
【００１６】
帯状体２の表面側には、二股に分離した指引っ掛け部（５）（５’）に隣接して親指差し込み部９が縫製されている。この親指差し込み部９は、その根本開口９ａが帯状体２の裏面に開口され、親指差し込み部９の先端には、先端開口９ｂが形成されている。親指差し込み部９の長さは、親指を差し込んだ時、その第１関節が露出する程度の長さとし、脱着を容易にしている。なお、親指差し込み部９に加えて人差し指差し込み部、その他の各指の差し込み部を加えてもよい。また、この指差し込み部は指全体を包むように形成してもよい。親指差し込み部９とその周辺には、ソフトパットを入れておき、操作時の振動を緩衝して使用性を良くすると共に、車椅子を降りる時に床に手をついた時に痛くないようにする。
【００１７】
帯状体２の表面側の第１の面ファスナー６を設置した部分には、背屈保持プレート用ポケット１６が形成される。背屈保持プレート用ポケット１６は、手が損傷して手首が前屈した状態の障害者のため、前屈した手首を背屈して水平保持するため、前屈の症状に応じて角度、形状が変形可能で、ある程度の硬さと強度を有する材料で形成された背屈保持プレート１７を挿入するためのものである。このような背屈保持プレート１７の材料として軽量であることも考慮してアルミ等の軽量金属が望ましい。背屈保持プレート１７は、前屈した手首から手の甲の位置までの長さとし、その形状は、前屈の状態に応じて予め曲げておく。背屈保持プレート１７を背屈保持プレート用ポケット１６に挿入することにより、保護具を手に装着した際、背屈保持プレート１７が前屈した状態の手首の部分から手の甲に位置して、手首を水平に保持でき、車椅子等の操作を容易にする。また、帯状体２の裏面側の背屈保持プレート用ポケット１６に対応する位置にソフトパットを配置し、硬い背屈保持プレート１７が当たる手首の関節部分が痛くないようにする。
【００１８】
また、帯状体２の中央部の下部には、帯状保護具１を手に装着した後、より手にフィットするように調節するための引張り部１９を設ける。
【００１９】
本発明の帯状保護具１の装着方法について説明する。
ステップ（１）で、背屈保持プレート用ポケット１６に背屈保持プレート１７を挿入する。
ステップ（２）で、右手の親指を帯状体２の裏面から親指引っ掛け部４に挿入し帯状体２を吊り下げる。
ステップ（３）で、二股に分離した指引っ掛け部（５）（５’）に左手の指を挿入する。
ステップ（４）で、帯状体２を右手の甲から掌の周囲に沿って巻き、その途中で右手の親指を親指差し込み部９に挿入する。
ステップ（５）で、第１の面ファスナー６に第２の面ファスナー（７）（７’）を押圧する。
ステップ（６）で、引張り部分１９を引張り、手にフィットさせる。
以上のように、簡単容易に装着完了となる。これにより、右手の親指の先端部とその他の各指は露出状態となる。帯状体２を取り外す場合には、上記操作を逆の順序で行うことにより簡単容易に取り外すことができる。以上は、右手用の帯状保護具を装着する場合を示しているが、左手に装着する場合は、右手を左手に、左手を右手に置き換えて装着する。
【図面の簡単な説明】
【００２０】
【図１】本発明の実施形態を示す図である。
【図２】本発明の実施形態を示す図である。
【符号の説明】
【００２１】
１：帯状保護具、２：帯状体、３：縁取り材、４：親指引っ掛け部、５、５’：二股に分離した指引っ掛け部、６：第１の面ファスナー、７、７’：第２の面ファスナー、９：親指差し込み部、９ａ：親指差し込み部の根本開口、９ｂ：親指差し込み部の先端開口、１５：再帰反射シート、１６：背屈保持プレート用ポケット、１７：背屈保持プレート、１８：二重当て、１９：引張り部
【図１】
0004544533.tif 000002
【図２】
0004544533.tif 000003